(57)【特許請求の範囲】
【請求項１】
時を表示する所定長さの時表示体と、分を表示する所定長さの分表示体とが交差状態に設けられ、前記時表示体と前記分表示体とは、前記時表示体の長さ方向に夫々相対移動可能に、また、前記分表示体の長さ方向に夫々相対移動可能に設けられ、前記時表示体と前記分表示体との前記交差部位における前記時表示体の時表示と前記分表示体における分表示とで時と分が表示され、前記分表示体が前記時表示体の長さ方向に断続的に移動して前記交差部位において時を表示し、その交差部位において前記分表示体が断続的に移動して前記時における分を表示することを特徴とする時計。
【請求項２】
請求項１記載の時計において、前記分表示体は、前記時表示体の終点に位置した後は前記時表示体の始点に復帰するように構成され、また、前記分表示体は前記交差部位において終点に位置した後、始点に復帰するように構成されていることを特徴とする時計。
【請求項３】
時を表示する所定長さの時表示体と、分を表示する所定長さの分表示体とが交差状態に設けられ、前記時表示体と前記分表示体とは、前記時表示体の長さ方向に夫々相対移動可能に、また、前記分表示体の長さ方向に夫々相対移動可能に設けられ、前記時表示体と前記分表示体との前記交差部位における前記時表示体の時表示と前記分表示体における分表示とで時と分が表示され、前記分表示体が前記時表示体の長さ方向に断続的に移動して前記交差部位において時を表示し、その交差部位において前記時表示体が前記分表示体の長さ方向に断続的に移動して前記時における分を表示することを特徴とする時計。
【請求項４】
時を表示する所定長さの時表示体と、分を表示する所定長さの分表示体とが交差状態に設けられ、前記時表示体と前記分表示体とは、前記時表示体の長さ方向に夫々相対移動可能に、また、前記分表示体の長さ方向に夫々相対移動可能に設けられ、前記時表示体と前記分表示体との前記交差部位における前記時表示体の時表示と前記分表示体における分表示とで時と分が表示され、前記時表示体が断続的に移動して前記交差部位において時を表示し、その交差部位において前記時表示体が前記分表示体の長さ方向に断続的に移動して前記時における分を表示することを特徴とする時計。
【請求項５】
時を表示する所定長さの時表示体と、分を表示する所定長さの分表示体とが交差状態に設けられ、前記時表示体と前記分表示体とは、前記時表示体の長さ方向に夫々相対移動可能に、また、前記分表示体の長さ方向に夫々相対移動可能に設けられ、前記時表示体と前記分表示体との前記交差部位における前記時表示体の時表示と前記分表示体における分表示とで時と分が表示され、前記時表示体が断続的に移動して前記交差部位において時を表示し、その交差部位において前記分表示体が断続的に移動して前記時における分を表示することを特徴とする時計。
【請求項６】
請求項１〜５いずれか１項に記載の時計において、前記時表示は、前記時表示体の長さ方向に順に並設された数字、前記時表示体の長さ方向に順に着色若しくは明暗を施した区画、または前記時表示体の長さ方向に順に適宜な図形などの識別標識を施した区画であることを特徴とする時計。
【請求項７】
請求項１〜６いずれか１項に記載の時計において、前記分表示は、前記分表示体の長さ方向に順に着色若しくは明暗を施した区画、前記時表示体の長さ方向に順に適宜な図形などの識別標識を施した区画、または前記分表示体の長さ方向に順に並設された数字であることを特徴とする時計。
【請求項８】
請求項１〜７いずれか１項に記載の時計において、前記時表示体と前記分表示体とは重合交差状態に設けられており、前記時表示体と前記分表示体のうち少なくとも正面側に位置する表示体は背面側に位置する表示体が視認し得る光透過性の部材で構成されていることを特徴とする時計。
【発明の詳細な説明】
【技術分野】
【０００１】
本発明は、時計に関するものである。
【背景技術】
【０００２】
従来から、時刻を種々の構造により知らせる時計、また、時針、分針、秒針が種々の動きをする時計、また、様々なデザインの時計が提案されており、より斬新でデザイン性に秀れた時計の提案が望まれている。
【発明の概要】
【発明が解決しようとする課題】
【０００３】
本発明は、前述した従来からの要求に鑑み、極めて商品価値の高い画期的な時計を提供するものである。
【課題を解決するための手段】
【０００４】
添付図面を参照して本発明の要旨を説明する。
【０００５】
時を表示する所定長さの時表示体１と、分を表示する所定長さの分表示体２とが交差状態に設けられ、前記時表示体１と前記分表示体２とは、前記時表示体１の長さ方向に夫々相対移動可能に、また、前記分表示体２の長さ方向に夫々相対移動可能に設けられ、前記時表示体１と前記分表示体２との前記交差部位における前記時表示体１の時表示１Ａと前記分表示体２における分表示２Ａとで時と分が表示され、前記分表示体２が前記時表示体１の長さ方向に断続的に移動して前記交差部位において時を表示し、その交差部位において前記分表示体２が断続的に移動して前記時における分を表示することを特徴とする時計に係るものである。
【０００６】
また、請求項１記載の時計において、前記分表示体２は、前記時表示体１の終点に位置した後は前記時表示体１の始点に復帰するように構成され、また、前記分表示体２は前記交差部位において終点に位置した後、始点に復帰するように構成されていることを特徴とする時計に係るものである。
【０００７】
また、時を表示する所定長さの時表示体１と、分を表示する所定長さの分表示体２とが交差状態に設けられ、前記時表示体１と前記分表示体２とは、前記時表示体１の長さ方向に夫々相対移動可能に、また、前記分表示体２の長さ方向に夫々相対移動可能に設けられ、前記時表示体１と前記分表示体２との前記交差部位における前記時表示体１の時表示１Ａと前記分表示体２における分表示２Ａとで時と分が表示され、前記分表示体２が前記時表示体１の長さ方向に断続的に移動して前記交差部位において時を表示し、その交差部位において前記時表示体１が前記分表示体２の長さ方向に断続的に移動して前記時における分を表示することを特徴とする時計に係るものである。
【０００８】
また、時を表示する所定長さの時表示体１と、分を表示する所定長さの分表示体２とが交差状態に設けられ、前記時表示体１と前記分表示体２とは、前記時表示体１の長さ方向に夫々相対移動可能に、また、前記分表示体２の長さ方向に夫々相対移動可能に設けられ、前記時表示体１と前記分表示体２との前記交差部位における前記時表示体１の時表示１Ａと前記分表示体２における分表示２Ａとで時と分が表示され、前記時表示体１が断続的に移動して前記交差部位において時を表示し、その交差部位において前記時表示体１が前記分表示体２の長さ方向に断続的に移動して前記時における分を表示することを特徴とする時計に係るものである。
【０００９】
また、時を表示する所定長さの時表示体１と、分を表示する所定長さの分表示体２とが交差状態に設けられ、前記時表示体１と前記分表示体２とは、前記時表示体１の長さ方向に夫々相対移動可能に、また、前記分表示体２の長さ方向に夫々相対移動可能に設けられ、前記時表示体１と前記分表示体２との前記交差部位における前記時表示体１の時表示１Ａと前記分表示体２における分表示２Ａとで時と分が表示され、前記時表示体１が断続的に移動して前記交差部位において時を表示し、その交差部位において前記分表示体２が断続的に移動して前記時における分を表示することを特徴とする時計に係るものである。
【００１０】
また、請求項１〜５いずれか１項に記載の時計において、前記時表示１Ａは、前記時表示体１の長さ方向に順に並設された数字、前記時表示体１の長さ方向に順に着色若しくは明暗を施した区画、または前記時表示体１の長さ方向に順に適宜な図形などの識別標識を施した区画であることを特徴とする時計に係るものである。
【００１１】
また、請求項１〜６いずれか１項に記載の時計において、前記分表示２Ａは、前記分表示体２の長さ方向に順に着色若しくは明暗を施した区画、前記時表示体１の長さ方向に順に適宜な図形などの識別標識を施した区画、または前記分表示体２の長さ方向に順に並設された数字であることを特徴とする時計に係るものである。
【００１２】
また、請求項１〜７いずれか１項に記載の時計において、前記時表示体１と前記分表示体２とは重合交差状態に設けられており、前記時表示体１と前記分表示体２のうち少なくとも正面側に位置する表示体は背面側に位置する表示体が視認し得る光透過性の部材で構成されていることを特徴とする時計に係るものである。
【発明の効果】
【００１３】
本発明は上述のように構成したから、従来にない動きで時刻を表示し、また、デザインが斬新であり、しかも、非常に見易くて機能的にも秀れた極めて商品価値の高い画期的な時計となる。
【図面の簡単な説明】
【００１４】
【図１】本実施例を示す斜視図である。
【図２】本実施例の動作説明図である。
【図３】本実施例の動作説明図である。
【図４】本実施例の動作説明図である。
【図５】本実施例の動作説明図である。
【図６】本実施例の要部の説明図である。
【図７】本実施例の要部の説明断面図である。
【図８】本実施例の要部の説明断面図である。
【図９】本実施例の要部の説明断面図である。
【図１０】本実施例の要部の説明断面図である。
【図１１】別例を示す正面図である。
【図１２】別例を示す正面図である。
【図１３】別例を示す正面図である。
【発明を実施するための形態】
【００１５】
好適と考える本発明の実施形態を、図面に基づいて本発明の作用を示して簡単に説明する。
【００１６】
本発明は、時表示体１と分表示体２とは、時表示体１の長さ方向に夫々相対移動可能に、また、分表示体２の長さ方向に夫々相対移動可能に設けられ、時表示体１と分表示体２とが交差している交差部位における時表示体１の時表示１Ａと分表示体２における分表示２Ａとで時と分が表示される。即ち、時表示体１と分表示体２との交差部位は時間の経過とともに移動し、その時点で交差する時表示体１の時表示１Ａと分表示体２の分表示２Ａとで時と分が表示される。
【００１７】
よって、本発明によれば、従来にない動きで時刻を表示し、時表示体１と分表示体２とが交差したシンプルな構成であり、また、古来からある親しみ易い十字架が徐々に変化していくように見える、これまでにない斬新なデザインであり、非常に見易くて機能的にも秀れた時計となる。
【実施例】
【００１８】
本発明の具体的な実施例について図面に基づいて説明する。
【００１９】
本実施例は、時を表示する時表示体１と、分を表示する分表示体２とが交差状態に設けられ、時表示体１と分表示体２とは、時表示体１の長さ方向に夫々相対移動可能に、また、分表示体２の長さ方向に夫々相対移動可能に設けられ、時表示体１と分表示体２とが交差している交差部位における時表示体１の時表示１Ａと分表示体２における分表示２Ａとで時と分が表示される時計である。
【００２０】
尚、本実施例は壁掛時計として構成されているが、置き時計や腕時計として構成しても良く、本実施例の特性を発揮する構成であれば適宜採用し得るものである。
【００２１】
以下、本実施例に係る構成各部について詳細な説明をする。
【００２２】
時表示体１は、図１に図示したように長尺の化粧板部３と、この化粧板部３の正面側に所定間隔を介して配設される第一表示板部４とで構成されている。
【００２３】
化粧板部３は、図１に図示したように適宜な合成樹脂製の部材で形成した方形板状体であり、正面左右部位には金属製の支柱部材５が突設され、この左右の支柱部材５の先端部間には第一表示板部４が架設状態に連結されている。尚、本実施例はこの支柱部材５を介して壁などに付設される。
【００２４】
また、化粧板部３は白色であり、また、第一表示板部４の表面には時表示１Ａとしての１乃至１２の数字が一定間隔で施され、更に、この数字は化粧板部３と同一色、この場合白色が施されている。尚、この時表示１Ａとしての数字の左右所定位置の間隔は分表示体２と同一巾にして該分表示体２が時表示体１の長さ方向に移動する際の一区画に設定されている。
【００２５】
従って、分表示体２と交差している交差部位の時表示１Ａとしての数字のみが目立ち、それ以外の交差していない部位での数字は化粧板部３と重なることで見えにくくなる。
【００２６】
また、化粧板部３の背面側には該化粧板部３で隠蔽され分表示体２を時表示体１の長さ方向に移動させる移動手段６が設けられている。
【００２７】
この移動手段６は、図６に図示したように左右対向位置に配される基部材６ａ間に架設される上下一対のガイド棒材６ｂと、各基部材６ａに設けた歯車６ｃ間に懸架されるベルト部材６ｄと、一方の基部材６ａに設けられ歯車６ｃを正逆回転させる第一駆動部６ｅ（電動モーター）とを有するものであり、ベルト部材６ｄは分表示体２に連結されている。
【００２８】
従って、第一駆動部６ｅを作動させてベルト部材６ｄを駆動させることにより、分表示体２は時表示体１の長さ方向に移動することになる。
【００２９】
第一表示板部４は、図１に図示したように光透過性を有する適宜な合成樹脂製の部材で形成した方形板状体であり、この第一表示板部４が後述する分表示体２の第二表示板部９の正面側に重合交差状態に配されても該第二表示板部９は視認し得ることになる。
【００３０】
尚、第一表示板部４は、光透過性を有するものであれば例えばガラス製でも良く、また、後述する分表示２Ａと同様、時表示体１の長さ方向に順に着色若しくは明暗（濃淡）を施した区画や、時表示体１の長さ方向に順に適宜な図形などの識別標識（図形、写真、絵、記号など）を施した区画で時表示１Ａを設けても良い。この時表示１Ａを色で表示する場合、第二表示板部９を光透過性を有する部材で構成し、第一表示板部４の正面側に第二表示板部９を重合交差状態に配して、第二表示板部９に数字などを施す。
【００３１】
分表示体２は、図１に図示したように時表示体１と直交状態に設けられており、第二表示板部４と、この第二表示板部４に連設され前述した移動手段６により水平移動する水平移動部８と、この水平移動部８に連設される垂直移動部10とで構成されている。
【００３２】
第二表示板部９は、図１に図示したように適宜な合成樹脂製の部材で形成した板状体であり、水平移動部８及び垂直移動部10の正面側に配されて該水平移動部８及び垂直板部10を隠蔽する。
【００３３】
また、第二表示板部９は、組み立てた際には時表示体１の第一表示板部４と化粧板部３との間にして該第一表示板部４と直交状態に配され、第一表示板部４が光透過性を有するため正面方向から見た際に透けて第二表示板部９の表面が看取することができる。
【００３４】
また、第二表示板部９の表面は、該第二表示板部９の長さ方向に六個の領域が区画され、この各領域には異なる色及び明暗（濃淡）が施されている。この場合、第二表示板部９は上方から下方へ濃色から淡色となるグラデーションが施されている。
【００３５】
本実施例では、この各領域が約１０分間を表示するように設定されている。
【００３６】
即ち、第二表示板部９の下から一番目の分表示２Ａは「００分００秒〜０９分５９秒」に設定され、下から二番目の分表示２Ａは「１０分００秒〜１０分５９秒」に設定され、下から三番目の分表示２Ａは「２０分００秒〜２９分５９秒」に設定され、下から四番目の分表示２Ａは「３０分００秒〜３９分５９秒」に設定され、下から五番目の分表示２Ａは「４０分００秒〜４９分５９秒」に設定され、下から六番目の分表示２Ａは「５０分００秒〜５９分５９秒」に設定されている。尚、分表示２Ａは、約１０分間を表示する場合に限らず、１分間を表示したり５分間を表示したりするようにしても良いし、色でなく時表示１Ａのように長さ方向に順に並設された数字や、時表示体の長さ方向に順に適宜な図形などの識別標識（図形、写真、絵、記号など）を施した区画で表示するようにしても良い。
【００３７】
水平移動部８は、図６に図示したように適宜な合成樹脂製の部材で形成した箱状体であり、この水平移動部８には前述した化粧板部３の背面側に位置するガイド棒材６ｂにスライド可能に被嵌連結するスライド部８ａ（リニアベアリング）が設けられている。また、水平移動部８にはベルト部材６ｄに連結する連結部材８ｂが設けられている。
【００３８】
従って、水平移動部８はベルト部材６ｄの作動によりガイド棒材６ｂにガイドされて時表示体１の長さ方向（正面視左右方向）へ移動可能となる。
【００３９】
また、水平移動部８には垂直移動部10が設けられている。
【００４０】
この垂直移動部10は、図６，９に図示したように水平移動部８に設けられる第二駆動部10ａ（電動モーター）と、上下対向位置に配される基部材10ｂ間に架設され水平移動部８のガイド部８ｃをスライドする一対のスライド棒材10ｃと、このスライド棒材10ｃのうち一方のスライド棒材10ｃ上にして基部材10ｂ間に架設される架設部材10ｄとを有し、この架設部材10ｄには第二駆動部10ａにより回転する歯車10ｅと歯合するラック歯10ｄ’が設けられている。
【００４１】
従って、垂直移動部10は、歯車10ｅの作動によりガイド部８ｃにガイドされて分表示体２の長さ方向（正面視上下方向）へ移動可能となる。
【００４２】
また、符号７は第一駆動部６ｅ及び後述する第二駆動部10ａが接続される制御基盤部であり、この制御基盤部７により第一駆動部６ｅ及び第二駆動部10ａが適宜制御され、時表示体１及び分表示体２の動きが制御される。
【００４３】
具体的には、制御基盤部７は、分表示体２が時表示体１の長さ方向にして正面視右方向に移動する際には、１乃至１２の数字まで断続的に移動するように制御するとともに、分表示体２が時表示体１の長さ方向にして正面視左方向、即ち、終点の１２の数字から始点の１の数字まで移動する際には、一気に且つ連続的に移動するよう第一駆動部６ｅを制御する。
【００４４】
また、制御基盤部７は、分表示体２が該分表示体２の長さ方向にして正面視下方向に移動する際には、一区画ずつ断続的に移動するように制御するとともに、分表示体２が該分表示体２の長さ方向にして正面視上方向に移動する際には、一気に且つ連続的に正面視上端位置まで移動するよう第二駆動部10ａを制御する。
【００４５】
この制御基盤部７の制御は、前述した場合に限らず、時計としてのデザイン性や機能性などが考慮されて最適な動きとなるように適宜設計変更可能である。
【００４６】
また、本実施例では、分表示体２を時表示体１の長さ方向に移動させる構成としたが、逆に時表示体１を移動させる構成としても良く、また、本実施例では分表示体２をその長さ方向に移動可能としたが、その逆に分表示体２の長さ方向に時表示体１を移動させても良い。
【００４７】
また、本実施例では、時表示体１を水平状態とし、分表示体２を垂直状態として両者を直交交差状態としているが、分表示体２を水平状態とし、時表示体１を鉛直状態としても良く、前述したように両者の交差は直交でなくても良い。
【００４８】
以上の構成から成る本実施例に係る時計の動作について説明する。
【００４９】
分表示体２は、図１に図示した左端上方位置を始点とした場合、第二駆動部10ａの作動により該分表示体２の長さ方向（下方向）に一区画ずつ断続的に移動する。尚、本実施例では、分表示体２が該分表示体２の長さ方向（下方向）に一区画移動する間隔は約１秒に設定されている。
【００５０】
続いて、最も下方位置へ移動した後、分表示体２は、第一駆動部６ｅの作動により時表示体１の長さ方向（右方向）に一区画移動するとともに、第二駆動部10ａの作動により分表示体２の長さ方向（上方向）に最も上方位置まで一気に且つ連続的に移動する。つまり、分表示体２は、第一駆動部６ｅ及び第二駆動部10ａの同時作動により斜め方向（右斜め上方向）へ移動する。
【００５１】
この下方向への移動と右斜め上方向への移動とを順次繰り返すことで、分表示体２は図４に図示した時表示体１の右端下方位置（終点）まで移動する。尚、本実施例では、分表示体２が最も下方位置から右斜め上方向へ移動して最も上方位置に到達するまでの間が約１秒に設定されている。
【００５２】
その後、分表示体２は、第一駆動部６ｅの作動により時表示体１の長さ方向（左方向）に数字の１２から１へ十一区画一気に且つ連続的に移動するとともに、第二駆動部10ａの作動により分表示体２の長さ方向（上方向）に一気に且つ連続的に移動して、時表示体１の右端下方位置から左端上方位置まで移動する（図５参照）。尚、本実施例では、分表示体２が時表示体１の右端下方位置から左端上方位置に到達するまでの間が約１秒に設定されている。
【００５３】
本実施例は、このような作動を行いながら時表示体１と分表示体２とが交差している交差部位における時表示体１の時表示１Ａと分表示体２における分表示２Ａとで時と分が表示される。
【００５４】
即ち、この時表示体１と分表示体２との交差部位は時間の経過とともに移動し、その時点で交差する時表示体１の時表示１Ａと分表示体２の分表示２Ａとで時と分が表示される。
【００５５】
例えば、図１に図示した状態は、時表示体１と分表示体２とが交差している交差部位における時表示体１の時表示１Ａは「１」、分表示体２の分表示２Ａは「下から一番目の段（色）」であり、よって、「１時００分００秒〜０９分５９秒」であることが表示されている。
【００５６】
また、図２に図示した状態は、時表示体１と分表示体２とが交差している交差部位における時表示体１の時表示１Ａは「１」、分表示体２の分表示２Ａは「下から六番目の段（色）」であり、よって、「１時５０分００秒〜５９分５９秒」であることが表示されている。
【００５７】
また、図３に図示した状態は、時表示体１と分表示体２とが交差している交差部位における時表示体１の時表示１Ａは「２」、分表示体２の分表示２Ａは「下から一番目の段（色）」であり、よって、「２時００分００秒〜０９分５９秒」であることが表示されている。
【００５８】
また、図５に図示した状態は、時表示体１と分表示体２とが交差している交差部位における時表示体１の時表示１Ａは「１２」、分表示体２の分表示２Ａは「下から六番目の段（色）」であり、よって、「１２時５０分００秒〜５９分５９秒」であることが表示されている。
【００５９】
本実施例は上述のように構成したから、従来にない動きで時刻を表示し、時表示体１と分表示体２とが交差したシンプルな構成であり、また、古来からある親しみ易い十字架が徐々に変化していくように見える、これまでにない斬新なデザインであり、非常に見易くて機能的にも秀れたものとなる。
【００６０】
また、本実施例は、時表示体１と分表示体２とは直交状態に設けられているから、この点においてもシンプルでデザイン性に秀れ、分表示体２における時表示体１からの突出度合いによっても分を確認することができるなど、非常に見易くて機能性にも秀れたものとなる。
【００６１】
また、本実施例は、時表示体１と分表示体２とは重合交差状態に設けられており、時表示体１と分表示体２のうち少なくとも正面側に位置する時表示体１は背面側に位置する分表示体２が視認し得る光透過性の部材で構成されているから、この点においてもシンプルでデザイン性に秀れ、しかも、確実にその機能を発揮することができることになる。
【００６２】
また、本実施例は、時表示１Ａは、時表示体１の長さ方向に順に並設された数字であり、一方、分表示２Ａは、分表示体２の長さ方向に順に着色若しくは明暗を施した区画であるから、この点においてもデザイン性及び機能性に秀れることになる。
【００６３】
また、本実施例は、分表示体２が時表示体１の長さ方向に断続的に移動して交差部位において時を表示し、その交差部位において分表示体２が断続的に移動して時における分を表示するから、常時動いている場合に比して時と分の表示は止まって表示されることになるから非常に見易い表示となる。
【００６４】
また、本発明は図11に図示したようにも適用できる。
【００６５】
具体的には、分を表示する分表示体31と、秒を表示する秒表示体32とが交差状態に設けられ、分表示体31と秒表示体32とは、分表示体31の長さ方向に夫々相対移動可能に、また、秒表示体32の長さ方向に夫々相対移動可能に設けられ、分表示体31と秒表示体32とが交差している交差部位における分表示体31の分表示31Ａと秒表示体32における秒表示32Ａとで分と秒が表示される時計である。
【００６６】
分表示体31の表面には該分表示体31の長さ方向に分表示31Ａとしての１乃至６０の数字が一定間隔で施され、この数字は化粧板部３と同一色（白色）が施されている。
【００６７】
一方、秒表示体32の表面には該秒表示体32の長さ方向に六個の領域が区画され、この各領域には異なる色及び明暗（濃淡）が施されている。この場合、秒表示体32は上方から下方へ濃色から淡色となるグラデーションが施されている。
【００６８】
この各領域が約１０秒間を表示するように設定されている。
【００６９】
即ち、秒表示体32の下から一番目の秒表示32Ａは「００秒〜０９秒」に設定され、下から二番目の秒表示32Ａは「１０秒〜１９秒」に設定され、下から三番目の秒表示32Ａは「２０秒〜２９秒」に設定され、下から四番目の秒表示32Ａは「３０秒〜３９秒」に設定され、下から五番目の秒表示２Ａは「４０秒〜４９秒」に設定され、下から六番目の秒表示32Ａは「５０秒〜５９秒」に設定されている。
【００７０】
また、秒表示体32が分表示体31の長さ方向に断続的に移動して交差部位において分を表示し、その交差部位において秒表示体32が断続的に移動して分における秒を表示する。
【００７１】
また、秒表示体32は、分表示体31の終点に位置した後は分表示体31の始点に復帰するように構成され、また、秒表示体32は交差部位において終点に位置した後、始点に復帰するように構成されている。
【００７２】
また、分表示体31と秒表示体32とは重合交差状態に設けられており、分表示体31と秒表示体32のうち少なくとも正面側に位置する表示体は背面側に位置する表示体が視認し得る光透過性の部材で構成されている。
【００７３】
その余は本実施例と同様である。
【００７４】
また、本発明は図12に図示したようにも適用できる。
【００７５】
具体的には、月を表示する月表示体41と、日を表示する日表示体42とが交差状態に設けられ、月表示体41と日表示体42とは、月表示体41の長さ方向に夫々相対移動可能に、また、日表示体42の長さ方向に夫々相対移動可能に設けられ、月表示体41と日表示体42とが交差している交差部位における月表示体41の月表示41Ａと日表示体42における日表示42Ａとで月と日が表示されるカレンダーである。
【００７６】
月表示体41の表面には該月表示体41の長さ方向に月表示41Ａとしての１乃至１２の数字が一定間隔で施されている。
【００７７】
一方、日表示体42の表面には該日表示体42の長さ方向に日表示42Ａとしての１乃至３１の数字が一定間隔で施されている。
【００７８】
また、本実施例は、日表示体42が月表示体41の長さ方向に断続的に移動して交差部位において月を表示し、その交差部位において日表示体42が断続的に移動して月における日を表示する。
【００７９】
また、本実施例は、日表示体42は、月表示体41の終点に位置した後は月表示体41の始点に復帰するように構成され、また、日表示体42は交差部位において終点に位置した後、始点に復帰するように構成されている。
【００８０】
また、月表示体41と日表示体42とは重合交差状態に設けられており、月表示体41と日表示体42のうち少なくとも正面側に位置する表示体は背面側に位置する表示体が視認し得る光透過性の部材で構成されている。
【００８１】
その余は本実施例と同様である。
【００８２】
また、本発明は図13に図示したようにも適用できる。
【００８３】
具体的には、日を表示する日表示体51と、曜日を表示する曜日表示体52とが交差状態に設けられ、日表示体51と曜日表示体52とは、日表示体51の長さ方向に夫々相対移動可能に、また、曜日表示体52の長さ方向に夫々相対移動可能に設けられ、日表示体51と曜日表示体52とが交差している交差部位における日表示体51の日表示51Ａと曜日表示体52における曜日表示52Ａとで日と曜日が表示されるカレンダーである。
【００８４】
日表示体51の表面には該日表示体51の長さ方向に日表示51Ａとしての１乃至３１の数字が一定間隔で施され、この数字は化粧板部３と同一色（白色）が施されている。
【００８５】
一方、曜日表示体52の表面には該曜日表示体52の長さ方向に七個の領域が区画され、この各領域には異なる色及び明暗（濃淡）が施されている。この場合、曜日表示体52は上方から下方へ濃色から淡色となるグラデーションが施されている。
【００８６】
また、この各領域に施された色及び文字（日，月，火，水，木，金，土）により曜日を表示する曜日表示52Ａが設けられている。
【００８７】
即ち、曜日表示体52の下から一番目の曜日表示52Ａは「日曜日」に設定され、下から二番目の曜日表示52Ａは「月曜日」に設定され、下から三番目の曜日表示52Ａは「火曜日」に設定され、下から四番目の曜日表示52Ａは「水曜日」に設定され、下から五番目の曜日表示52Ａは「木曜日」に設定され、下から六番目の曜日表示52Ａは「金曜日」に設定され、下から七番目の曜日表示52Ａは「土曜日」に設定されている。
【００８８】
また、曜日表示体52が日表示体51の長さ方向に断続的に移動して交差部位において日を表示し、その交差部位において曜日表示体52が断続的に移動して日における曜日を表示する。
【００８９】
また、曜日表示体52は、日表示体51の終点に位置した後は日表示体51の始点に復帰するように構成され、また、曜日表示体52は交差部位において終点に位置した後、始点に復帰するように構成されている。
【００９０】
また、日表示体51と曜日表示体52とは重合交差状態に設けられており、日表示体51と曜日表示体52のうち少なくとも正面側に位置する表示体は背面側に位置する表示体が視認し得る光透過性の部材で構成されている。
【００９１】
その余は本実施例と同様である。
【符号の説明】
【００９２】
１  時表示体
１Ａ  時表示
２  分表示体
２Ａ  分表示
【図１】
0006566518.tif 000002
【図２】
0006566518.tif 000003
【図３】
0006566518.tif 000004
【図４】
0006566518.tif 000005
【図５】
0006566518.tif 000006
【図６】
0006566518.tif 000007
【図７】
0006566518.tif 000008
【図８】
0006566518.tif 000009
【図９】
0006566518.tif 000010
【図１０】
0006566518.tif 000011
【図１１】
0006566518.tif 000012
【図１２】
0006566518.tif 000013
【図１３】
0006566518.tif 000014